(57)【要約】【課題】電気柵の電源ユニットにおいて、電源の入った状態で作動モードの切り替えをする際、一度電源を切り、再び電源を入れ直す操作をする必要のない、電源ユニットを提供する。【解決手段】電源ユニット１の筐体を、電気回路を内蔵し、外面に、スイッチ操作部４と、出力端子５およびアース端子６と、受光センサー１１等が配置された操作部筐体２と、電源９を内蔵する電源筐体３とにより構成し、前記スイッチ操作部４に、電源スイッチ４１と複数の作動モード切替スイッチ４２・４３・４４とを配置し、電源がオンの状態で前記各作動モード切替スイッチを切り替え可能に構成した。【選択図】図１
2006217826.tif 000002
【特許請求の範囲】
【請求項１】
電気柵に電圧を印加するための電源ユニットであって、
電源ユニットの筐体を、電気回路を内蔵し、外面に、スイッチ操作部と、出力端子およびアース端子と、受光センサー等が配置された操作部筐体と、電源を内蔵する電源筐体とにより構成し、
前記スイッチ操作部に、電源スイッチと複数の作動モード切替スイッチとを配置し、
電源がオンの状態で前記各作動モード切替スイッチを切り替え可能に構成した
ことを特徴とする電気柵の電源ユニット。
【請求項２】
前記電源ユニットの操作部筐体と電源筐体とを連結手段により連結固定可能とし、
前記電源筐体内に電池及びバッテリーに共通した収納部を設けるとともに、外部電源と接続するための配線用挿通孔を電源筐体に設けた
ことを特徴とする請求項１に記載の電気柵の電源ユニット。
【発明の詳細な説明】
【技術分野】
【０００１】
本発明は、電気柵に所定の電圧で所望の時間に印加する電源ユニットに関する。
【背景技術】
【０００２】
電気柵は、獣類の侵入を防ぐ手段として農地やレジャー施設等の周囲に設けられるものや、または、牧場等で飼育する家畜類が牧場外へ逃げ出すのを防ぐ手段としても用いられる。この電気柵においては、複数のポールが防護すべき土地の周囲に所定間隔をもって設けられるとともに、各ポール間に裸電線、あるいは導電性の金網等の防護線が張り渡されて柵を構成する。そして、張り渡された防護線に電流が流されることによって、土地に侵入しようとして防護線に接触した獣類を感電させて撃退する。電気柵に触れて感電した獣類は、柵を恐れて近寄らなくなる。このような電気柵の技術は公知となっている（特許文献１〜４参照）。
【０００３】
前記防護線に高電圧を印加するために、防護線の一端には電源ユニットが接続される。該電源ユニットには出力端子とアース端子を備えている。出力端子はコードを介して防護線に接続されるとともに、アース端子はコードを介してアース棒に接続され、さらに該アース棒は接地される。電源ユニットからパルス電圧を発生することにより、防護線には地面に対して１万ボルト程度の電圧が印加される。獣類がこの防護線に接触すると、獣類の身体を介して防護線と地面との間に電流が流れるため、獣類は強い衝撃を感じ近づこうとしなくなる。
【０００４】
また、夜行性の獣類が農場等に侵入しないようにするために、制御回路に光センサーを接続して、周囲が明るい状態から設定した明るさよりも暗い状態へ変化したときには電圧を印加し、夜明けの暗い状態から設定した明るさよりも明るくなると、そのときから所定時間過ぎた後に電圧の発生を停止するようにした技術も公知となっている。（特許文献５参照）。
【特許文献１】特開平１１−１６９００７号公報
【特許文献２】特開２００２−１２５５７２号公報
【特許文献３】特開２００４−６３号公報
【特許文献４】特開２００４−１２９６００号公報
【特許文献５】特許第３５５２２１９号公報
【発明の開示】
【発明が解決しようとする課題】
【０００５】
前述の電源ユニットにおいては、夜行性の獣類を対象としたものであるため、昼間に行動する獣類に対しては対処できない。また、夜行性の動物や昼行性の動物が生息する地域にも対処することができない。
【０００６】
また、従来の電源ユニットにおいて、操作部筐体と電源筐体とから構成して、分離可能とした構成においては、ボルトや螺子等を用いて連結していたため、連結方法が複雑であり、取り付け工程にコストがかさむ、等の問題があった。
【０００７】
本発明は、上記の問題を解決するために、通電モードを昼モードと夜モードと連続モードが容易に切り換えられるようにするとともに、単純な構成でより確実に操作部筐体と電源筐体を連結固定することのできる連結手段を具備する電源ユニットを提供することである。
【課題を解決するための手段】
【０００８】
本発明の解決しようとする課題は以上の如くであり、次にこの課題を解決するための手段を説明する。
【０００９】
即ち、請求項１においては、電源ユニットの筐体を、電気回路を内蔵し、外面に、スイッチ操作部と、出力端子およびアース端子と、受光センサー等が配置された操作部筐体と、電源を内蔵する電源筐体とにより構成し、前記スイッチ操作部に、電源スイッチと複数の作動モード切替スイッチとを配置し、電源がオンの状態で前記各作動モード切替スイッチを切り替え可能に構成したものである。
【００１０】
請求項２においては、前記電源ユニットの操作部筐体と電源筐体とを上下に分離・連結可能に構成し、両筐体を連結手段により固定可能とし、前記電源筐体内に電池及びバッテリーに共通した収納部を設けるとともに、外部電源と接続するための配線用挿通孔を電源筐体に設けた。
【発明の効果】
【００１１】
本発明の効果として、以下に示すような効果を奏する。
【００１２】
請求項１に係る電源ユニットにおいては、電源スイッチを操作することなく作動モードスイッチを一度操作するだけで作動モードが切り替えられるので、操作が簡単であり、誤操作も防止できる。これにより、作動モード切替のより簡単かつ確実な操作性を実現している。
【００１３】
請求項２に係る電源ユニットにおいては、単純な構成の連結手段により、より簡単かつ確実に操作部筐体と電源筐体とを分離・連結固定することが可能となって、電池の交換や配線が容易にできるようになった。また、乾電池仕様や充電バッテリー仕様やＡＣ電源仕様やソーラーパネル仕様に共通の電源筐体とすることができ、電源の種類に応じて別々の筐体を製造する必要がなくなり、装置の製造コストを軽減することができる。
【発明を実施するための最良の形態】
【００１４】
次に、発明の実施の形態を説明する。
【００１５】
図１は電源ユニット１の正面図（スイッチ操作部の表面パネルを外した状態）、図２は電源ユニット１の側面図、図３は電源ユニット１の斜視図（電源としてソーラーパネル１２を使用する構成の場合）、図４は主電源スイッチボタン４１の断面図（図１におけるＡ−Ａ断面図）、図５は連結手段７の詳細図、図６は電気柵システムの全体的な構成を示す図、図７は電源筐体３の平面図、図８は電源筐体３の斜視図（電池ボックスと予備電池を収納した状態）、図９は電気回路図である。
【００１６】
まず、図６を参照して電気柵システムの概要について説明する。
【００１７】
図６に示すように、獣類の往来を禁止したい場所、つまり、耕地の周囲や放牧場の周囲等に電気柵１００が配置され、該電気柵１００は所定間隔をもってポール１１０を立設し、各ポール１１０・１１０間に防護線１２０を張り渡して構成される。但し、ポール１１０と防護線１２０の間は絶縁されている。電源ユニット１の前面の操作パネルに出力端子５とアース端子６が設けられ、該出力端子５にはコードを介して防護線１２０に接続されるとともに、アース端子６にはコードとそれに接続されるアース棒１３０を介して接地される。電源ユニット１からパルス電圧を発生することにより、防護線１２０には地面に対して高電圧、例えば、１万ボルト程度の電圧が印加される。
【００１８】
次に、本発明に係る電源ユニット１の構成について説明する。
【００１９】
図１〜図３に示されるように、本発明に係る電源ユニット１は、筐体を操作部筐体２と電源筐体３とに上下に分離可能に構成している。該操作部筐体２は電源筐体３とは、通常、後述する連結手段７によって連結され、一体的に使用される。電源筐体３は、電源ユニット１に電力を供給する手段として乾電池や充電式バッテリー等を筐体内部に収納するように構成されるとともに、操作部筐体２をできるだけ上方に配置して、操作がし易く電気機器に浸水しないように脚部の役割も兼ねる。
【００２０】
前記操作部筐体２は略直方体の箱状に構成され、前後中央の左右両側面から上面に縁部を形成して、この縁部に手を挿入できる開口部２ａが設けられて把手としている。該操作部筐体２は縁部部分で前後に分割可能に構成され、ボルト等により締め付けて固定して閉じるようにしている。操作部筐体２の内部は密閉空間となっており、降雨時、あるいは、該筐体２が水中に浸かってしまうような状況でも内部へ水が浸入しないように、合わせ部はシール部材によって完全防水処理が施されている。該操作部筐体２の内部空間内に電気柵１００の防護線１２０に電圧を印加するための電気回路を内蔵している。該操作部筐体２の前外面には、スイッチ操作部４と出力端子５およびアース端子６と受光センサー１１の検知部とが設けられ、表面パネルにより覆う構成としている。
【００２１】
また、操作部筐体２の底面には電源線接続端子２０・２１が下方に突設されており、該電源線接続端子２０・２１は電源筐体３内に収納した電池９またはバッテリーまたはアダプターの接続端子８とコードを介して接続され、操作部筐体２内部の電気回路に電力が供給される。
【００２２】
前記電源筐体３は、図７、図８に示すように、上方を開放した箱状に構成され、上部外周の形状は操作部筐体２の底部形状に合わせた形状に構成され、電源筐体３上に操作部筐体２を載置嵌合して固定できるようにしている。つまり、電源筐体３の両側の側面と操作部筐体２の両側側面に連結手段７が配置されて、ワンタッチで解除・固定できるようにしている。
【００２３】
該連結手段７は、図１、図２、および図５（ａ）に示すように、操作部筐体２の左右両側面に枢支される回動部材７１・７１と、電源筐体３の左右両側面における上端部中央に固定して設けられる固定部材７２・７２とで構成される。回動部材７１・７１は操作部筐体２の左右両側面における下端部中央に設けた回動部材取付部７１ａ・７１ａに回動自在に枢支される。
【００２４】
ここで、図５を参照して、連結手段７の構成と連結の機構についてさらに詳述する。前記回動部材７１は、胴部７３の上端部に回動軸部７４が設けられ、該回動軸部７４には図５（ａ）に示されるように、前後方向に軸孔７４ａが設けられている。一方、操作部筐体２の回動部材取付部７１ａには前後方向に軸孔７４ｂ・７４ｂが設けられており、軸孔７４ｂ・７４ｂの間に軸孔７４ａを挟んだうえで、該軸孔７４ａおよび軸孔７４ｂ・７４ｂに軸棒７４ｃが挿入されている。これにより、回動部材７１は軸孔７４ａを中心軸として回動自在とすることができる。
【００２５】
前記胴部７３の上下中途部から筐体側には突起部７５が突設され、該突起部７５は正面視円状の凸部に構成している。該突起部７５より下方の胴部をつまみ部７６としている。
【００２６】
一方、前記固定部材７２は、固定板７８と係止部７７が電源筐体３の側壁に一体的に設けられ、該係止部７７は断面視Ｌ字状（図では逆Ｌ字状）に形成されて、固定板７８に一体的に形成される。該係止部７７の上端面は操作部筐体２の回動部材取付部７１ａの底面に当接し、係止部７７の下端部には、外側下方に突設して係止片７７ａが形設され、該係止片７７ａと固定板７８との間の下部に窪み部７７ｂが設けられる構成としている。
【００２７】
以上の構成により、操作部筐体２の底部を電源筐体３の上端部に設けられた段付き嵌合部に嵌め合わせたうえで、前記連結手段における回動部材７１・７１を前記連結手段固定部材７２・７２に係止させることによって両筐体を連結固定させる。
【００２８】
即ち、電源筐体３上に操作部筐体２を嵌め込んで、回動部材７１を下方へ回動してつまみ部７６を電源筐体３の側壁側へ押し込むと、図５（ｂ）〜（ｄ）に示すように、前記突起部７５が係止部７７の係止片７７ａを乗り越えて窪み部７７ｂにはまり込み、操作部筐体２と電源筐体３とが連結固定され、容易に外れない状態となる。
【００２９】
回動部材７１を固定部材７２から外す際は、図５（ｅ）に示されるように、つまみ部７６を内側から外向きに引き上げることにより、胴部７３が撓んで突起部７５は下向きに押される力が働き、突起部７５は係止片７７ａから容易に乗り越えることができて、回動部７１が固定部７２から外れる。
【００３０】
上述のように連結手段７は、操作が簡単であるとともに、操作力も小さく、連結固定後は強固な連結状態を実現できるものである。なお、連結手段７の回動部材７１・７１および固定部７２・７２は、それぞれ、本実施形態と逆に、電源筐体３および操作部筐体２に設けられる構成でもよい。
【００３１】
また、前記電源筐体３は断面視略Ｕ字状に構成され、図７、図８に示すように、底部中央に更に断面視Ｕ字状の上方が開放された箱状の収納部９１が形成されている。該収納部９１は乾電池を直列接続下状態でちょうど収納できる大きさに構成され、また、専用の充電バッテリーを収納できるようにしている。こうして電源を収納して、電源はがたつかないように、収納する構成としている。
【００３２】
そして更に、該収納部９１の周囲の電源筐体３の内面との間の空間には予備の電池９２を収納できる構成となっており、空間を有効に利用して、不意の電池切れやバッテリー上がりに速やかに対応できるようにしている。
【００３３】
また、電源筐体３の収納部９１の外側の底部に、外部電源と接続するための配線用挿通孔１０が開口され、該筐体内部と外部とを該挿通孔１０を介して電線を通せるようにしている。該挿通孔１０は電池やバッテリーを使用しているときには蓋体で閉じておき水等の浸入を防止しておく。但し、孔１０は筐体側面に設けられる構成でもよく、とくに位置が限定される必要はない。
【００３４】
前記挿通孔１０を使用する場合は、外部電源を使用する場合であって、家庭用ＡＣ電源、ソーラーパネル、外部バッテリー、等の外部電源から電力を供給するために電源供給用電線を挿通して使用する。ＡＣ電源から電力を供給する場合には、ＡＣ−ＤＣコンバーター（アダプター）をコンセントに接続し、給電線を挿通孔１０に通して電源筐体３内部に引き込み、電源線接続端子８に接続する。また、収納部９１にバッテリーを装着し、該バッテリーを充電する際にも同様に給電線を挿通孔１０に通してバッテリーと接続する。
【００３５】
更に、図３に示すように、操作部筐体２の上部の縁部（把手）にはソーラーパネル１２を取付可能に構成している。つまり、ソーラーパネル１２の裏面には図示しないフック状の固定部が形成されて、操作部筐体２に容易に固定できる構成としている。そして、該ソーラーパネル１２で発電された電力は、給電線を介して電源筐体３の収納部９１に装着されたバッテリーに充電される。該給電線は前述のように挿通孔１０を通して接続される。
【００３６】
上述のように、本実施例に係る電源ユニット１においては、設置される環境に応じて電源を選択できるようにしている。つまり、電源ユニット１の設置場所が、住宅や電柱等が配設されている場所に近く、コンセントから電力を供給できる場合には、ＡＣ−ＤＣコンバーターを用いて電力を供給することにより、電池交換などのメンテナンスは不要となる。また、コンセントが近くになく、日差しを遮るようなものがない場合には、ソーラーパネル１２とバッテリーを利用することで、電池交換などのメンテナンスは不要となる。そして、コンセントが近くになく、日差しを遮る障害物がある場合には、電池を使用するのである。
【００３７】
こうして本発明に係る電源ユニットは、一般的な電気柵に電力を供給する手段として汎用的に使用することができる。
【００３８】
次に、電気回路について図９より説明する。
【００３９】
制御回路３０は操作部筐体２内に収納され、スイッチ４１、接続端子２０・２１を介して電源筐体３内の電源より電力が供給される。該制御回路３０には光センサー１１、連続作動スイッチ４２、昼作動スイッチ４３、夜作動スイッチ４４、テストスイッチ４５、電源ランプ４６、電圧ＯＫランプ４７、電圧不足ランプ４８、昇圧回路５０等が接続され、該制御回路３０はＣＰＵ、ＲＡＭ、ＲＯＭ、入出力ポート、電圧チェッカー、リレー等を備える。
【００４０】
前記電源スイッチ４１、連続作動スイッチ４２、昼作動スイッチ４３、夜作動スイッチ４４、テストスイッチ４５、電源ランプ４６、電圧ＯＫランプ４７、電圧不足ランプ４８、及び、連続作動スイッチ４２に接続される連続作動ランプ４２ａ、昼作動スイッチ４３に接続される昼作動ランプ４３ａ、夜作動スイッチ４４に接続される夜作動ランプ４４ａが前記スイッチ操作部４に設けられている。
【００４１】
前記電源スイッチ４１を「入」側にＯＮすると電源ランプ４６が点灯し、この状態でテストスイッチ４５を押すと、電圧チェッカーと接続されて、設定電圧よりも高い場合には電圧ＯＫランプ４７が点灯され、設定電圧よりも低い場合には電圧不足ランプ４８が点灯する。なお、電源ランプ４６が点灯しない場合には、断線または電池切れまたはバッテリー上がりとなっている。
【００４２】
そして、獣類の侵入を阻止する目的で、昼間のみ通電を行う昼作動モード、夜間のみ通電を行う夜作動モード、常時通電を行う連続作動モードの切り替えができるようにしており、作動モード切替スイッチ（連続作動スイッチ４２、昼作動スイッチ４３、夜作動スイッチ４４）を選択して操作することにより、電気柵の使用状態を変更できる。つまり、電気柵を使用する場合、獣類の種類によりその行動特性が異なる。たとえば、夜行性の獣類のみを主として阻止対象とする場合は、夜間のみ通電しておけばよく、逆に昼行性の獣類が対象ならば昼間のみ通電しておけばよい。したがって、上記の作動モードの選択によって無駄な電力消費を抑制することができる
従来の電源ユニットでは、電源の入った状態で作動モードの切り替えをする際、一度電源を切り、再び電源を入れ直してから、作動モードスイッチを選択しなければならない。つまり、電源の入った状態では作動モードの切り替えはできなかった。そのため、電源スイッチを操作する手間がかかるうえ、電源スイッチを入れているにもかかわらず、作動モードスイッチを押しても変化しないため故障と間違ってしまう。
【００４３】
そこで、本発明に係る電源ユニットにおいては、電源の入ったままの状態で作動モードスイッチの操作のみで作動モードを切り替えることができるようにしている。
【００４４】
連続作動モードの場合、連続作動スイッチ４２を押しＯＮすることで連続作動ランプ４２ａが点灯し、制御回路３０への入力電圧が昇圧回路５０により所定の電圧（約１万ボルト）に昇圧され、所定の間隔（パルス）で出力され、出力端子５からコードを介して防護線１２０に電圧が印加される。なお、アース端子６にはコードを介してアース棒１３０と接続され、接地される。
【００４５】
昼作動モードの場合、昼作動スイッチ４３を押しＯＮすることで昼作動ランプ４３ａが点灯し、昼の明るい場合前記同様に出力端子５に所定電圧パルスを出力し、暗くなると出力を停止する。夜作動モードの場合、夜作動スイッチ４４を押しＯＮすることで夜作動ランプ４４ａが点灯し、夜の暗い場合前記同様に出力端子５に所定電圧パルスを出力し、明るくなると出力を停止する。こうしてランプ４２ａ・４３ａ・４４ａの点灯により、現在の作動モードを確認することができる。なお、作動モード切り替えの動作には、リレー回路、あるいは機械的な手段等、任意の手段を用いてよく、特定の手段に限定される必要はない。
【００４６】
この昼と夜は光センサー１１により検知するようにしている。即ち、光センサー１１は例えばＣｄＳ等により構成して、明るさを検知し、日没時の所定の明るさよりも暗くなると、昼作動モードの場合は、所定の電圧の印加を停止し、夜作動モードの場合は、所定の電圧の印加を開始する。また、夜明けのように暗い状態から所定の明るさになると、昼作動モードの場合は、所定の電圧の印加が開始され、夜作動モードの場合は、所定の電圧の印加を停止する。
【００４７】
また、主電源スイッチ４１は図４に示されるように、タクトスイッチとして構成されており、本実施形態においては、押圧部４１ａと接点４１ｂと間の距離が長く設けられている。主電源スイッチは必要以上に強く押されやすく、スイッチが折れる場合があったが、このようにスイッチを構成することにより、押圧力を押圧部４１ａと接点４１ｂとの間の部材の撓みによって吸収することができ、耐久性の向上が達成されている。
【図面の簡単な説明】
【００４８】
【図１】本発明に係る電源ユニット１の正面図。
【図２】本発明に係る電源ユニット１の側面図。
【図３】本発明に係る電源ユニット１の斜視図（電源としてソーラーパネル１２を使用する構成の場合）。
【図４】主電源４１の断面図（図１におけるＡ−Ａ断面図）。
【図５】連結手段７の詳細図。
【図６】電気柵システムの全体的な構成を示す図。
【図７】本発明に係る電源ユニット１の電源筐体３の平面図。
【図８】電源筐体３の斜視図（電池ボックスと予備電池を収納した状態）。
【図９】電源ユニット１の電気回路図。
【符号の説明】
【００４９】
１    電源ユニット
２    操作部筐体
３    電源筐体
４    スイッチ操作部
４２    連続作動スイッチ
４３    昼作動スイッチ
４４    夜作動スイッチ
１００    電気柵
１１０    ポール
１２０    防護線
１３０    アース棒
【図１】
2006217826.tif 000003
【図２】
2006217826.tif 000004
【図３】
2006217826.tif 000005
【図４】
2006217826.tif 000006
【図５】
2006217826.tif 000007
【図６】
2006217826.tif 000008
【図７】
2006217826.tif 000009
【図８】
2006217826.tif 000010
【図９】
2006217826.tif 000011